(57)【要約】【課題】  構造強度に優れ、軽量で安価な壁パネルとその取付構造、及びこれを備えた建物を提供することを提供すること。【解決手段】  不燃無機質板体２と、この不燃無機質板体２の一方の面と他方の面と端面とを覆う状態に貼着積層された金属板３，４とからなる壁パネル１であって、少なくとも片方の面の金属板４に線状突起４１が形成されている。【選択図】図１
2006009271.tif 000002
【特許請求の範囲】
【請求項１】
不燃無機質板体と、この不燃無機質板体の一方の面と他方の面と端面とを覆う状態に貼着積層された金属板とからなる壁パネルであって、少なくとも片方の金属板に線状突起が形成されていることを特徴とする壁パネル。
【請求項２】
前記片方の金属板に設けられた線状突起の延在方向が、壁パネルの長手方向に一致して設けられていることを特徴とする請求項１記載の壁パネル。
【請求項３】
前記片方の金属板に設けられた線状突起の部分は、壁パネルの構造体への取り付け部分以外の部分に設けられていることを特徴とする請求項１又は２記載の壁パネル。
【請求項４】
前記不燃無機質板体は、石膏ボードからなり、前記金属板が鋼板であることを特徴とする請求項１〜３いずれか１項に記載の壁パネル。
【請求項５】
前記不燃無機質板体の端面を覆う金属板は、一方または他方の面を覆う金属板を、端面を覆う状態に、折り曲げ形成されたものであることを特徴とする請求項１〜４のいずれか１項に記載の壁パネル。
【請求項６】
前記不燃無機質板体の一方の面を覆う金属板の表面に、タイル、石材、塗料のいずれか１つ以上の加飾用材料を付加したことを特徴とする請求項１〜５のいずれか１項に記載の壁パネル。
【請求項７】
請求項１〜６のいずれか１項に記載の壁パネルが建物に取り付けられた壁パネルの取付構造であって、前記不燃無機質板体の端面を覆う金属板が前記端面から外方に突出されて取付片が形成され、該取付片が建物の構造体に取り付けられていることを特徴とする壁パネルの取付構造。
【請求項８】
請求項７記載の壁パネルの取付構造を備えたことを特徴とする建物。
【発明の詳細な説明】
【技術分野】
【０００１】
本発明は、壁パネルとその取付構造、及びこれを備えた建物に関する。
特に、耐火性や防火性に優れた外壁パネルとして好適な壁パネルとその取付構造、及びこれを備えた建物に関する。
【背景技術】
【０００２】
一般に、石膏ボード等の不燃無機質板体は、耐火性、防火性、断熱性、防音性等の特性に優れ、安価であること等から、建物の内装材や天井材等として広く使用されている。
しかしながら、石膏ボード等は、水や湿気に弱くて、水分を多く含むと損傷し易くなるし、水分を含まなくとも単体としての強度は決して大きくなく、そのままでは外壁材として使用できない。
【０００３】
しかし、上記のように、石膏ボードは耐火性、防火性、断熱性、防音性等の特性に優れているので、表面に金属板を取り付けたり裏面に木材や鉄材等の枠材を取り付けて補強し、外壁材として使用されている。
例えば、溝形鋼で形成した枠体の外面側に耐火性外装材を貼着し内面側に石膏ボード等の内装材を貼着し、前記枠体と耐火性外装材との間に波形亜鉛鉄板を介在させた壁パネルが耐火パネルとして記載され、知られている（特許文献１参照）。
【０００４】
また、石膏ボードの両面に金属板を取り付けて耐火性、耐水性、遮音性を向上させたものが知られている（特許文献２参照）。
また、建設省認定の不燃軸組防火構造に登録されている防火第１０２号に記載されている壁は、亜鉛鉄板を外側に石膏ボードを内側にして組み合わせたものをＣ形鋼で構成された不燃軸組に取り付けたものである（非特許文献３参照）。
【０００５】
石膏ボード以外の不燃無機質板体である硬質木片セメント板や珪酸カルシウム板等をそのまま外壁に使用することもあるが、通常、これ等の不燃無機質板体は脆いので、不燃無機質板体に補強材を取り付けて補強して使用することが多い。
例えば、不燃無機質板体の一方の面には両側縁に沿って金属製の桟材を、他方の面には金属板を取り付けたものが知られている（特許文献４参照）。
また、前記防火第１０２号の石膏ボードの代わりに、岩綿保温板や繊維混入セメント珪酸カルシウム板を使用した防火第１０３号、防火第１２９４号の壁も知られている（非特許文献５参照）。
【０００６】
【特許文献１】実公昭６１−２０８８９号公報
【特許文献２】特開２００１−６２９５４号公報
【非特許文献３】建設省認定「防火第１０２号」
【特許文献４】特公昭５６−２１９６７号公報
【非特許文献５】建設省認定「防火第１０３号、防火第１２９４号」
【発明の開示】
【発明が解決しようとする課題】
【０００７】
しかしながら、特許文献１に記載の壁パネルでは、枠体の屋内側に石膏ボードを、また、屋外側に耐火性外装材と波形亜鉛鉄板をそれぞれ貼着するし、特許文献４に記載の壁パネルでは、不燃無機質板体の一方の面に桟材を、また、他方の面に金属板を取り付けるというように、いずれも、金属製の枠体や桟材を必須としている。
このため、壁パネルとしての強度は確保できるものの、金属製の枠体や桟材等の材料費
でコスト高になったり、金属製の枠体や桟材等の重量で軽量化を損なうものであった。
【０００８】
また、特許文献２に記載されている壁パネルでは、石膏ボードの両面に金属板が取り付けられているので、両面から湿気や水が浸入しないが、端面には金属板がないので、この端面から湿気や水分が浸入し構造強度が低下する。
また、非特許文献３および５に記載されている防火第１０２号、防火第１０３号、防火第１２９４号として認定されている不燃軸組防火構造は、いずれも、不燃枠組の外側に亜鉛鉄板を取り付け、内側に石膏ボードや岩綿保温板や繊維混入セメント珪酸カルシウム板等を取り付けたものであるから、石膏ボードや岩綿保温板や繊維混入セメント珪酸カルシウム板等の裏面や端面には、亜鉛鉄板がなく、この裏面や端面から吸湿して構造強度の低下を招く恐れがある。
【０００９】
そこで、本発明の目的は、上記の問題点を解消し、構造強度に優れ、軽量で安価な壁パネルとその取付構造、及びこれを備えた建物を提供することである。
【課題を解決するための手段】
【００１０】
本発明は上記目的を達成するためになされたものであって、請求項１記載の発明は、不燃無機質板体と、この不燃無機質板体の一方の面と他方の面と端面とを覆う状態に貼着積層された金属板とからなる壁パネルであって、少なくとも片方の面の金属板に線状突起が形成されていることを特徴とする壁パネルである。
【００１１】
請求項２記載の発明は、前記金属板に設けられた線状突起の延在方向が、壁パネルの長手方向に一致して設けられていることを特徴とする請求項１記載の壁パネルである。
【００１２】
請求項３記載の発明は、請求項１又は２記載の壁パネルにおいて、前記金属板に設けられた線状突起の部分は、壁パネルの構造体への取り付け部分以外の部分に設けられていることを特徴とするものである。
【００１３】
上記請求項１〜３記載の本発明に使用する不燃無機質板体としては、石膏ボード、珪酸カルシウム板、石綿珪酸カルシウム板、岩綿保温板、硬質木片セメント板、石綿スレート板、軽量気泡コンクリート板等が好適に使用される。特に、石膏ボードが好適である。
この不燃無機質板体の厚みは適宜でよいが、１０〜２０ｍｍが好ましく、特に、１２〜１５ｍｍが好ましい。
【００１４】
この不燃無機質板体を覆う金属板としては、鋼板、ステンレス鋼板、アルミニウム板、これ等の合金等の適宜の金属板がある。そして、これ等の中から耐蝕性や加工性等を考慮して選択される。特に、請求項４記載のように鋼板は耐熱性や透湿性に優れているので好ましい。
上記金属板の厚さは、特に制限されないが、厚くなると機械的強度が得られ、好ましいが、一方で、重量増で作業性や加工性が悪くなる。従って、これ等を考慮して適宜設定すればよい。また、厚さが０．０５ｍｍ未満の場合には、加熱されたときに破損し易く耐火性が劣るようになるので、金属板の厚さは、０．０５ｍｍ以上が好ましい。更に好ましくは、０．１０〜２．０ｍｍの範囲である。
【００１５】
片方の面の金属板に設けられる線状突起の断面形状は、特に限定されるものではないが、プレス成形等で成形しやすく、また強度を発現する形状として凸形状或いは三角形状（Ｖ字状）の線状突起が好ましい。この線状突起を壁パネルの長手方向に延在して設けることにより、平板上の金属板に比べて、パネルの曲げ剛性を向上させることができる。
【００１６】
なお、金属板を鋼板とした壁パネルを外壁パネルとして使用するときには、耐久性を向上させるために、金属板にメッキや塗装を施して錆を防ぐようにするとよい。メッキは通常用いられるものでよく、亜鉛メッキ、アルミニウムメッキ、それらの合金メッキが好適である。塗装に使用する塗料としては、アクリル樹脂、ポリエステル樹脂等の有機系樹脂を主成分とする塗料が好適である。
【００１７】
上記金属板の貼着積層には、接着剤を使用するとよい。この際、接着剤の種類には特に制限はないが、水系接着剤やエマルジョン系接着剤が公害の発生が少なく、安価であるし、性能がよいので好適である。特に好ましいものとして、酢酸ビニル系接着剤、アクリル系接着剤等を挙げることができる。但し、水系接着剤やエマルジョン系接着剤を使用する
ときには、水が石膏ボード等の不燃無機質板体の強度を弱めるので、接着剤を使用する前に十分に乾燥しておくことが重要である。
【００１８】
上記壁パネルは、予め、金属板−接着剤層−石膏ボード−接着剤層−金属板の層構成にし、端面に金属板を取り付けるようにしてもよいし、請求項５記載の発明のように、一方または他方の面を覆う金属板を、端面を覆う状態に折り曲げていて、この金属板と別の金属体とを、その間に石膏ボードを挟んで重ね合わせるようにしてもよい。
【００１９】
請求項４記載の発明は、請求項１〜３記載の壁パネルにおいて、前記不燃無機質板体は、石膏ボードからなり、前記金属板が鋼板であることを特徴とする。
【００２０】
上記請求項４記載の発明に使用する石膏ボードとは、石膏を主成分として板状体にしたものであって、通常、石膏の上下の面に厚紙を設けて機械的強度を大きくしたものが使用されるが、石膏の中に繊維材料を混入して強化したものであってもよいし、上下の面に厚紙がない状態のまま形成した厚紙のない石膏ボードであってもよい。
最も一般的な石膏ボードは、主原料の石膏を焼成し、パーライト等を混入して水で練り、これを芯材として両面を厚紙で挟み、板状に成形したものである。
【００２１】
請求項５記載の発明は、請求項１〜４のいずれか１項に記載の壁パネルにおいて、前記不燃無機質板体の一方の面と他方の面と端面を覆う金属板は、一方または他方の面を覆う金属板を、端面を覆う状態に、折り曲げ形成されたものであることを特徴とする。
【００２２】
上記請求項５記載の本発明における金属板の折り曲げについては、プレス機や絞り加工機等で金属板の端部を略Ｌ字形、略Ｚ字形、あるいは略コ字形等の形状に形成して、不燃無機質板体の端面を覆うようするとよい。
この際、不燃無機質板体の他方の面を覆う金属板は、線状突起付金属板とし、上記一方の面を覆う金属板の折り曲げた端部と重ね合わせて接合するすると、一方と他方の金属板が不燃無機質板体の全面を覆った状態に一体化し、強度を一層向上させることができる。
また、一方と他方の金属板が連続した１枚の金属板であって、この１枚の金属板で不燃無機質板体の他方の面を覆う部分には線状突起加工がなされたものを包み込むようにしてもよい。
【００２３】
請求項６記載の発明は、請求項１〜５のいずれか１項に記載の壁パネルにおいて、前記不燃無機質板体の一方の面を覆う金属板の表面に、タイル、石材、塗料のいずれか１つ以上の加飾用材料を付加したことを特徴とする。
【００２４】
この請求項６記載の本発明に使用する石材としては、大理石、御影石等の自然石の板体や、珪砂や珪砂粉末、ゼオライト粉末等の自然石の粉末や、人造軽石やスラグ等の人造石等を挙げることができる。
また、タイルとしては、磁器タイルやセメント系のタイルや合成樹脂タイル等があるが、磁器タイルが美麗であるし、耐久性に優れているので好ましい。
このタイルや板状の石材の加飾用材料を付加するときには、セメントモルタルを使用してもよいが、合成樹脂系接着剤等を使用すると、簡単に付加することができるので好ましい。
【００２５】
この磁器タイルや板状の石材を接着する接着剤としては、弾性があり接着強度が大きく、耐候性や耐久性に優れたものが好ましい。かかる接着剤としては、エポキシ系接着剤や変成シリコーン系接着剤やこの両者を混合した接着剤等を挙げることができる。
耐久性向上のため、接着剤に砂等の石材を配合したり、目地部や隙間にモルタルを充填してもよい。
この磁器タイルや板状の石材を付加する際に、合成樹脂系の接着剤を使用すると、バーナー等でタイルや石材の表面を加熱すると接着剤が軟化して剥がすことができるので、タイルや石材が破損したときに、バーナーで加熱して剥がし、別のタイルや石材を張り付ける等して補修することができ、便利である。
【００２６】
粉末状の石材を付加する際に接着剤や塗料の中に入れて使用するとよい。
加飾材料である塗料を付加する場合には、耐候性、耐水性等のよい塗料を選ぶとよい。
なお、加飾する際に表面の金属板に凹凸を設けていると、加飾の効果が増加するので好ましい。
【００２７】
請求項７記載の発明は、請求項１〜６のいずれか１項に記載の壁パネルが建物に取り付けられた壁パネルの取付構造であって、前記不燃無機質板体の端面を覆う金属板が前記端面から外方に突出されて取付片が形成され、該取付片が建物の構造体に取り付けられていることを特徴とする。
【００２８】
上記請求項７記載の発明における建物の構造体とは、壁パネルを取り付けても十分な機械的強度を有する建物の部材をいい、具体的には、柱、間柱、梁等をいう。
そして、この建物の構造体に壁パネルを取り付けるには、釘、ビス、リベット等の固定具を使用して取り付けるとよい。
この壁パネルを取り付ける手段としては、屋外側から取り付けてもよいし、屋内側から取り付けてもよい。
【００２９】
請求項８記載の発明は、建物であって、請求項７記載の壁パネルの取付構造を備えたことを特徴とする。
（作用）
【００３０】
このように構成された請求項１及び２記載の壁パネルによると、不燃無機質板体と、この不燃無機質板体の一方の面と他方の面と端面とを覆う状態に貼着積層された金属板とからなる壁パネルであって、少なくとも片方の面の金属板に線状突起が形成されているので、耐火性、防火性に優れるとともに、所謂片方の面に線状突起を有するサンドイッチ構造となって、曲げ剛性や曲げ強度、衝撃強度、面内剪断強度が向上し、構造強度に優れたものとなる。
更に金属板に設けられた線状突起の延在方向が、壁パネルの長手方向に一致して設けられているので、曲げ剛性や曲げ強度、衝撃強度、面内剪断強度が一層向上し、壁パネルの構造強度が一層優れたものとなる。
しかも、不燃無機質板体の端面にも金属板が貼着積層されているので、不燃無機板体の全面が金属板で覆われた状態になり、吸湿や吸水による強度の低下がなく、耐久性に優れる。
【００３１】
更に、従来の壁パネルのように、金属製の枠体や桟材を設けていないので、軽量で安価なものにできる。
従って、工場で壁パネルを建物の構造体に取り付けた建物ユニットを製造し、この建物ユニットを施工現場で組み立てて建物なすユニット建物に適用すると極めて効果的である。
【００３２】
即ち、建物ユニットは、トラックで施工現場に運搬する関係で幅が制限されているが、壁パネルの厚みが小さいと、建物の構造体からの壁パネルの出寸法がそれだけ小さくなり、内側の部屋の寸法を大きくすることができるし、加飾用材料を付加する際には、加飾用材料による厚みを大きくすることができ、模様の自由度が増す。
【００３３】
請求項３記載の壁パネルによると、請求項１または２記載の壁パネルにおいて、前記片方の金属板に設けられた線状突起は、壁パネルの構造体への取り付け部分以外の部分に設けられているので、構造体に取り付けに際して邪魔にならず、また構造体からの出っ張りを少なくすることができ、間柱に取り付ければ壁の厚みが増えないで済み、その分、建物の構造体からの壁パネルの出寸法がそれだけ小さくて済む。
【００３４】
請求項４記載の壁パネルによると、請求項１〜３記載の壁パネルにおいて、前記不燃無機質板体が、石膏ボードからなり、前記金属板が鋼板からなるので、請求項１〜３記載の発明の作用に加えて、更に、石膏ボードの耐火性、断熱性、防音性等の特性や、鋼板の剛性、耐熱性、防湿性等の特性を活かした安価な壁パネルとなる。
【００３５】
請求項５記載の壁パネルによると、請求項１〜４のいずれか１項記載の壁パネルにおいて、前記不燃無機質板体の端面を覆う金属板は、一方または他方の面を覆う金属板を、端面を覆う状態に、折り曲げ形成されたものであるので、請求項１〜４に記載されている作用に加えて、更に、一方または他方の面を覆う金属板を取り付けるだけで、端面を覆う金属板を設けることができ、この端部を覆う金属板を設け易いし、端面の透湿、防水の確保が容易である。
【００３６】
請求項６記載の壁パネルによると、更に、前記不燃無機質板体の一方の面を覆う金属板の表面に、タイル、石材、塗料のいずれか１つ以上の加飾用材料を付加したので、意匠性に優れたものとなる。
【００３７】
請求項７記載の壁パネルの取付構造によると、前記不燃無機質板体の端面を覆う金属板が前記端面から外方に突出されて取付片が形成され、該取付片が建物の構造体に取り付けられているので、取付金具を別途用意する必要がなく、取付の施工性がよい。
【００３８】
請求項８記載の建物は、請求項７記載の壁パネルの取付構造を備えたものであるので、耐火性と壁の構造強度に優れ、安価に施工性よく構築できる。
【発明の効果】
【００３９】
請求項１及び２記載の壁パネルは、不燃無機質板体と、この不燃無機質板体の一方の面と他方の面と端面とを覆う状態に貼着積層された金属板とからなる壁パネルであって少なくとも片方の面の金属板に線状突起が形成されているから、耐火性、防火性に優れるとともに、所謂片方の面に線状突起を有するサンドイッチ構造となって、耐火性に優れるとともに、曲げ剛性や曲げ強度、衝撃強度、面内剪断強度が向上し、構造強度に優れたものとなるし、更に金属板に設けられた線状突起の延在方向が、壁パネルの長手方向に一致して設けられているから、曲げ剛性や曲げ強度、衝撃強度、面内剪断強度が一層向上し、壁パネルの構造強度が一層優れたものとなる。また、不燃無機質板体の全面が金属板が覆われた状体になり、吸湿や吸水による強度の低下がなく、耐久性に優れた壁パネルである。
更に、従来の壁パネルのように、金属製の枠体や桟材が設けられていないので、軽量で安価なものにできる。また、厚みを薄くすることができ、ユニット建物に適用したときに、内部の部屋を大きくすることができるし、加飾用材料を付加する際に、加飾用材料による厚みを大きくすることができ、加飾の自由度が増える好ましい壁パネルである。
【００４０】
請求項３記載の壁パネルによると、請求項１または２記載の壁パネルにおいて、前記片方の金属板に設けられた線状突起は、壁パネルの構造体への取り付け部分以外の部分に設けられているので、構造体に取り付けに際して邪魔にならず、また構造体からの出っ張りを少なくすることができ、間柱に取り付ければ壁の厚みが増えないで済み、その分、建物の構造体からの壁パネルの出寸法がそれだけ小さくて済む。
【００４１】
請求項４記載の壁パネルは、請求項１〜３記載の壁パネルにおいて、前記不燃無機質板体は、石膏ボードからなり、前記金属板が鋼板からなるから、請求項１〜３記載されている効果に加えて、更に、石膏ボードの耐火性、断熱性、防音性等の特性や、鋼板の剛性、耐熱性、防湿性等の特性を活かした安価な壁パネルとなる。
【００４２】
請求項５記載の壁パネルは、請求項１〜４のいずれか１項に記載の壁パネルであって、前記不燃無機質板体の端面を覆う金属板は、一方または他方の面を覆う金属板を、端面を覆う状態に、折り曲げ形成されたものであるから、前記請求項１〜４に記載の効果に加えて、更に、一方または他方の面を覆う金属板を不燃無機質板体に取り付けるだけで、端面を覆う金属板を設けることができ、端面に金属板を設け易いし、端面の防湿・防水の確保が簡単にできる。
【００４３】
請求項６記載の壁パネルは、請求項１〜５のいずれか１項に記載の壁パネルにおいて、前記不燃無機質板体の一方の面を覆う金属板の表面にタイル、石材、塗料のいずれか１つ以上の加飾用材料を付加したから、前記請求項１〜５に記載の効果に加えて、更に、意匠性に優れた壁パネルである。
【００４４】
請求項７記載の壁パネルの取付構造は、前記不燃無機質板体の端面を覆う金属板を前記端面から外方に突出させて取付片を形成し、該取付片が建物の構造体に取り付けられているから、取付金具を別途用意する必要がなく、取付の施工性のよい取付構造である。
【００４５】
請求項８記載の建物は、請求項７記載の壁パネルの取付構造を備えたものであるから、耐火性と壁の構造強度に優れ、安価に施工性よく構築できる建物である。
【発明を実施するための最良の形態】
【００４６】
以下、本発明を実施するための最良の形態を実施例で詳細に説明する。
【実施例１】
【００４７】
図１〜図４は本発明の一実施例であって、図１（ａ）は壁パネルの斜視図、（ｂ）は（ａ）の断面図、（ｃ）は壁パネルの突起を下から見た斜視図である。図２は端部形状が異なる金属板の断面図である。図３（ａ）は図１の壁パネルの取付構造を示す断面図、（ｂ）は壁パネルの異なる取付構造を示す断面図である。図４は比較例１の壁パネルであって、（ａ）は壁パネルの斜視図、（ｂ）は（ａ）の断面図である。
【００４８】
（壁パネル）
実施例１の壁パネル１は、図１に示すように、長方形の石膏ボード２（不燃無機質板体）と、この石膏ボード２の上面と、この上面と対向する下面と、四周の端面とを覆う状態に貼着積層した金属板３、４とからなる。
石膏ボード２は、長辺略２８００ｍｍ、短辺略９００ｍｍ、厚さ略１５ｍｍの板体である。
金属板３、４は、いずれも、厚さ略０．２７ｍｍの亜鉛メッキ鋼板であり、後述の取付片３１を形成することができるように、石膏ボード２より一回り大きい長方形の板体である。
【００４９】
そして、前述石膏ボード２の上面（一方の面）を覆う金属板３は、石膏ボード２の各端面を覆う状態にＺ形に折り曲げ形成されている。
なお、この実施例１では、図１（ｂ）に示すように、端部を略Ｚ字形状に折り曲げた金属板３を使用するが、図２（ａ）に示すように、端部を略Ｌ字形状に折り曲げた金属板３Ａであってもよいし、（ｂ）に示すように、石膏ボード２の他方の面まで回り込りませてコ字形状に折れ曲げた金属板３Ｂであってもよい。
【００５０】
前記石膏ボード２の下面（他方の面）を覆う金属板４は、図１（ｃ）に示すように壁パネル１の長手方向に平行な凸状の線状突起４１が複数形成されている。この線状突起４１は金属板４をプレス成形により形成されてもよく、平板な金属板４に線状突起４１になる部材を溶接等で接合されても良い。
【００５１】
壁パネル１の製造方法は、接着剤５が塗布された他方の金属板４の中央部分の上に石膏ボード２を載置し、この上から接着剤が塗布された一方の金属板３で載置し、石膏ボード２を上下から金属板３、４で挟み、金属板４の周縁部と金属板３のＺ形形状に折り曲げた端部を石膏ボード２の端面より水平方向に突出させた状態に重ね合わせて取付片３１を形成させて、全体を接着剤５で貼着し一体化する。
従って、この壁パネル１は、図１（ｂ）に示すように、一方の金属板３が石膏ボード２の一方の面を覆い、この金属板３の略Ｚ字形状の垂直部で石膏ボード２の端面を覆い、他方の金属板４が石膏ボード２の他方の面を覆っていて、周縁部に取付片３１が形成されている。
【００５２】
なお、一方の金属板３の端部を、図２（ａ）、（ｂ）に示したように、略Ｌ字形状またはコ字形状に折り曲げて石膏ボード２の端面を覆うようにした場合は、他方の金属板３の端部だけを石膏ボード２の端面より水平方向に突出させ、この突出した部分で取付片３１を形成させたものであってもよい。
また、上記のように構成された壁パネル１において、石膏ボード２の一方の面を覆う金属板３の表面に、塗料層、タイルまたは石材からなる加飾用材料を付加してもよい。
【００５３】
（壁パネルの取付構造と建物）
この実施例１の壁パネル１の取付構造は、図３（ａ）に示すように、この取付片３１を建物の柱７に押し付け、屋外側からビス６を取付片３１を通して柱７に螺入して取り付けたものであり、この実施例１の建物（不図示）は、この壁パネル１の取付構造を備えて構築されたものである。
このように、図３（ａ）においては、上記の取付片３１は、ビス６を使用して屋外側から柱７に取り付けられているが、釘やリベットであってもよいし、また、屋内側から取り付けてもよい。例えば、断面コ字形長尺体や断面Ｃ字形長尺体の金属製の柱７Ａである場合には、図３（ｂ）に示すように屋内側から取付片３１と柱７Ａに予め設けられている通孔３２に挿入されたリベット６Ａで壁パネル１を柱７Ａに取り付けてもよい。
【００５４】
（壁パネルの評価試験）
この実施例１の壁パネル１の評価試験結果を、比較例１の壁パネル１０と対比しながら、以下説明する。
評価試験に使用した壁パネル１の試験体と、比較例１の壁パネル１０の試験体は、いずれも、略同じ大きさで、長辺略２８００ｍｍ×短辺略９００ｍｍの長方形の板体である。
そして、比較例１の壁パネル１０は、図４（ａ）に示すように、長方形の石膏ボード２０（不燃無機質板体）と、この石膏ボード２０の上面と、この上面と対向する下面と、四周の端面とを覆う状態に貼着積層した金属板３０、４０とからなる。石膏ボード２０の上面を覆う金属板３０は、石膏ボード２０の各端面を覆う状態にＺ形に折り曲げ成形されている。石膏ボード２０の下面を覆う金属板４０は、折り曲げずに平板になされている。
従って、壁パネル１０は図４（ｂ）に示すように、一方の金属板３０が石膏ボード２０の一方の面を覆い、この金属板３０の略Ｚ字形状の垂直部で石膏ボード２０の端面を覆い、他方の金属板４０が石膏ボード２０の他方の面を覆っていて、周辺部の取付片３１０が形成されている。
【００５５】
即ち、壁パネル１の試験体と、比較例１の壁パネル１０の試験体は、下面に設けられた金属板４には線状突起が設けられ、金属板４０は線状突起がなく平板であるという点が異なる他は同一の形状及び材料が用いられている。
【００５６】
この実施例１の壁パネル１と、上記比較例１の壁パネル１０の試験体を用いて、ＪＩＳ−Ａ−１４１４に規定する「パネル及びその構造部分の性能試験方法」に基づいてパネル強度試験を行った。
表１は、単純曲げ試験の結果を示したものである。
【００５７】
【表１】
2006009271.tif 000003
【００５８】
上記強度試験の結果、表１に示すように、石膏ボード２を２枚の金属板３、４で挟み込み、金属板４の下面に線状突起を有する実施例１の壁パネル１は、石膏ボード２を２枚の金属板３０、４０で挟み込み、金属板４０は平板な比較例１の壁パネル１０よりもたわみ量が少なく、破壊荷重が大きいことが確認でき、壁パネルとして良好な性能を有することが判る。
【００５９】
（実施例１の作用）
この実施例１の壁パネル１によると、石膏ボード２（不燃無機質板体）の一方の面と他方の面の両面を覆う状態で、金属板３、４が貼着積層されているので、耐火性に優れるとともに、金属板４の下面に線状突起が設けられている、いわゆるサンドイッチ構造となって、曲げ剛性、曲げ強度、面内剪断強度、衝撃強度等が一層向上し、構造強度に優れていて、壁パネルとして十分使用できる。
しかも、石膏ボード２の端面にも、端部を折り曲げた金属板３が貼着積層されているので、石膏ボード２の全面が金属板３、４で覆われた状態になり、吸湿や吸水による強度の低下がなく、耐久性に優れ、石膏ボードの耐火性、断熱性、防音性等の特性を活かした安価な壁パネルである。
【００６０】
また、この壁パネル１を取り付けた取付構造では、石膏ボード２の端面から外方に突出させて取付片３１が形成されているので、この取付片３１を建物の柱７に取り付けることができるので、取付金具を別途用意する必要がなく取付の施工性がよい。
この壁パネル１を取り付けた建物は、上記壁パネル１の取付構造を備えたものであるから、耐火性と防火性に優れると同時に、壁の構造強度や施工性に優れた壁を安価に構築で
きる建物である。
【実施例２】
【００６１】
図５は本発明の他の実施例であって、図５（ａ）は線状突起形状が異なる壁パネルの斜視図、（ｂ）は（ａ）の断面図、（ｃ）は線状突起を下から見た斜視図である。
【００６２】
（壁パネル）
この実施例２の壁パネル１ｂは、図５に示すように、長方形の石膏ボード２（不燃無機質板体）と、この石膏ボード２の上面と対向する下面と四周の端面とを覆う状態に貼着積層した金属板３、４ｂとからなる。
下面の金属板４ｂには下方に三角形状の線状突起４１ｂが複数、壁パネル１ｂの長辺方向に平行に設けられている。
石膏ボード２は、長辺略２８００ｍｍ、短辺略９００ｍｍ、厚さ略１５ｍｍの板体である。
【００６３】
金属板３、４ｂは、いずれも、厚さ略０．２７ｍｍの亜鉛メッキ鋼板である。
前記石膏ボード２の上面（一方の面）を覆う金属板３は、石膏ボード２の各端面を覆う状態にＺ形に折り曲げ形成されている。
また、石膏ボード２の下面（他方の面）を覆う金属板４ｂは、石膏ボード２より一回り大きい長方形の板体に下方に三角形の突起（リブ）がプレス成形等の方法により賦形されている。
【００６４】
そして、壁パネル１ｂの製造方法は、実施例１の壁パネル１と同様にして作られる。
【００６５】
従って、この壁パネル１ｂは、図５に示すように、一方の金属板３が石膏ボード２の一方の面を覆い、この金属板３のＺ形状の垂直部で石膏ボード２の端面を覆い、石膏ボード２から外方向に突出した取付片３１を形成させ、他方の金属板４ｂが石膏ボード２の他方の面を覆っている。
なお、上記のように構成された壁パネル１ｂにおいては、石膏ボード２の一方の面を覆う金属板３の表面に、塗料層、タイルまたは石材からなる加飾用材料を付加してもよい。
【００６６】
（実施例２の作用）
この実施例２の壁パネル１ｂによると、石膏ボード２（不燃無機質板体）の一方の面と他方の面と端面を覆う状態で、金属板３、４ｂが貼着積層されているので、耐火性に優れるとともに、金属板４ｂの下面に三角形の線状突起が設けられている、所謂サンドイッチ構造となって、曲げ剛性、曲げ強度、面内剪断強度、衝撃強度等が一層向上し、構造強度に優れている。
【００６７】
また、石膏ボード２の端面にも、端部を折り曲げた金属板３が貼着積層されているので、石膏ボード２の全面が金属板３、４ｂで覆われた状態になり、吸湿や吸水による強度の低下がなく、耐久性に優れ、石膏ボードの耐火性、断熱性、防音性等の特性を活かした安価な壁パネルである。
【００６８】
また、この壁パネル１ｂを取り付けた取付構造では、屋外方向からでも屋内方向からで
も、取付金具を別途用意することなく取り付けることができるし、取付の施工性のよい取付構造である。
この壁パネル１ｂを取り付けた建物は、上記壁パネル１ｂの取付構造を備えたものであるから、耐火性、防火性に優れると同時に、壁の構造強度や施工性に優れた壁を安価に構築できる。
【産業上の利用可能性】
【００６９】
本発明の建物は特に限定しない。例えば、建物ユニットを工場等で製造し、施工現場で組み立てるユニット建物であってもよいし、部材を工場等で製造し、これを組み立てるプレハブ建物でもよいし、ツーバイ木材を使用する枠組壁工法で建てた建物でもよいし、従来の木造建物でもよい。また、住宅でもよいし、倉庫等のその他の建物でもよい。
なお、実施例では、金属板の表面を加飾してないが、金属板の表面に凹凸模様を設けて加飾しもよいし、タイル、石材、塗料等を付加して加飾してもよい。
【００７０】
タイルや石材を付加して加飾する場合には、適宜な種類の接着剤を使用して接着させればよい。例えば、セメントモルタルや漆喰等の無機質の接着剤でもよいし、弾性エポキシ接着剤等の有機質の接着剤でもよい。有機質の接着剤を使用すると、セメントモルタルと異なり、バーナー等でタイルや石材を加熱すると簡単に剥がすことができるので、タイルや石材が割れたときに簡単に修復することができる利点を持ち合わせている。
【図面の簡単な説明】
【００７１】
【図１】（ａ）は壁パネルの斜視図、（ｂ）は（ａ）の断面図、（ｃ）は線状突起を下から見た斜視図である。（実施例１）
【図２】端部形態が異なる金属板の断面図である。（実施例１）
【図３】図１の壁パネルの取付構造を示す断面図である。（実施例１）
【図４】比較例１の壁パネルであって、（ａ）は壁パネルの斜視図、（ｂ）は（ａ）の断面図である。（実施例１）
【図５】（ａ）は壁パネルの斜視図、（ｂ）は（ａ）の断面図、（ｃ）は線状突起を下から見た斜視図である。（実施例２）
【符号の説明】
【００７２】
１、１ｂ    壁パネル
２          石膏ボード（不燃無機質板体）
３          金属板
３１        取付片
４、４ｂ      金属板
４１，４１ｂ  線状突起
５            接着剤
【図１】
2006009271.tif 000004
【図２】
2006009271.tif 000005
【図３】
2006009271.tif 000006
【図４】
2006009271.tif 000007
【図５】
2006009271.tif 000008